(57)【要約】【課題】    大気圧が加わることで被収容物が減圧包装容器（真空パック）内で変形等する問題が生じない減圧包装容器（真空パック）を提供する。【解決手段】被収容物を減圧状態で収容する減圧包装容器であって、被収容物を収容可能な収容空間と、収容空間を規定する内面と外面とを連通させる連通口と、を有してなる保護骨材と、収容空間に被収容物を収容した保護骨材を内部空間に減圧状態にて収容可能である密封可能な袋体と、を備えてなり、袋体の内部空間が減圧状態とされても収容空間が潰れないものである、減圧包装容器である。【選択図】  図７
0003132049.tif 000002
【実用新案登録請求の範囲】
【請求項１】
被収容物を減圧状態で収容する減圧包装容器であって、
被収容物を収容可能な収容空間と、収容空間を規定する内面と外面とを連通させる連通口と、を有してなる保護骨材と、
収容空間に被収容物を収容した保護骨材を内部空間に減圧状態にて収容可能である密封可能な袋体と、を備えてなり、
袋体の内部空間が減圧状態とされても収容空間が潰れないものである、減圧包装容器。
【請求項２】
保護骨材が、収容空間を通過するいずれか１の平面による切断面において収容空間を閉じた線にて取り囲む閉曲線部分を有するものである、請求項１に記載の減圧包装容器。
【請求項３】
保護骨材が、少なくとも２以上の異なる閉曲線部分を有するものである、請求項２に記載の減圧包装容器。
【請求項４】
閉曲線部分において、袋体の内面が保護骨材の外面に密接するように取り囲んでいるものである、請求項２又は３に記載の減圧包装容器。
【請求項５】
閉曲線部分において、袋体の内面が密接する保護骨材の外面が外に凸の曲線によって形成されているものである、請求項４に記載の減圧包装容器。
【請求項６】
保護骨材が、前記切断面に交わる直線である基準直線に沿った中空の管状形状を有するものである、請求項２乃至５のいずれか１に記載の減圧包装容器。
【請求項７】
保護骨材が、基準直線に沿った中空の略円筒形状を有する円筒骨材と、基準直線に沿った円筒骨材の両端のうち一端側に取り付けられる略球冠形状の外面を有する一端球冠骨材と、該両端のうち他端側に取り付けられる略球冠形状の外面を有する他端球冠骨材と、円筒骨材と一端球冠骨材と他端球冠骨材との少なくともいずれかに形成される前記連通口と、を有してなる、請求項６に記載の減圧包装容器。
【請求項８】
収容空間が袋体の内面と接しないものである、請求項１乃至７のいずれか１に記載の減圧包装容器。
【請求項９】
収容空間に収容された被収容物が、保護骨材の外部から目視可能なものである、請求項１乃至８のいずれか１に記載の減圧包装容器。
【請求項１０】
収容空間に収容された被収容物が、前記連通口を経由して保護骨材の外部から目視可能なものである、請求項９に記載の減圧包装容器。
【請求項１１】
請求項１乃至１０のいずれか１に記載の減圧包装容器を構成する前記保護骨材。
【考案の詳細な説明】
【技術分野】
【０００１】
本考案は、減圧包装容器に関し、より詳細には、被収容物を減圧状態で収容する減圧包装（真空パック等と呼ばれることもある。）に用いる容器に関する。
【背景技術】
【０００２】
減圧状態で被収容物を収容する減圧包装容器（真空パック用容器等と呼ばれることもある。）は、空気中の酸素、周囲の雑菌、ゴミ等が被収容物と接触することで被収容物が劣化（例えば、酸化、腐敗、汚染等）することを防止又は減少させるためにこれまで食品分野（例えば、食品を被収容物として収容する。）を中心に用いられてきた（例えば、特許文献１参照）。
特許文献１は、「シラエビのむき身を、抗菌性を有する植物の葉っぱを保水性包装材としてそれで包み、フィルムにより真空パックしたことを特徴とするシラエビ加工食品を提供することを課題とした」（特許文献１の段落番号０００６）考案に係るものであり、具体的には、「複数匹のシラエビのむき身を、抗菌性を有する植物の葉っぱを保水性包装材としてそれで包み、フィルムにより真空パックしたことを特徴とするシラエビ加工食品」（特許文献１の請求項１）が開示されており、これによって「この考案のシラエビ加工食品によれば、シラエビのむき身と相性の良い素材を植物の葉っぱに求めたもので、その抗菌性と真空パックにより日持ちが良好となるばかりでなく、保水により柔らかさが保たれることとも相まって、舌にとろける絶妙な風味となり、加えて、品位のある高貴な香りが醸成され、食味と共にその香りを楽しむことができるため、たとえ、一口程度の少量でも快適な食感があり、食べたという満足感が忘れられない余韻としていつまでも残るという優れた効果がある。」（特許文献１の段落番号００１１）というものである。
即ち、特許文献１には、シラエビのむき身を被収容物として減圧状態で収容する減圧包装容器（フィルムにより真空パックしている。）が開示されている。
【０００３】
【特許文献１】登録実用新案第３１２７３８７号（考案の詳細な説明の段落番号０００４〜００１１、第１図〜第３図、要約等）
【考案の開示】
【考案が解決しようとする課題】
【０００４】
特許文献１に記載の減圧包装容器（シラエビのむき身を被収容物として減圧状態で収容するフィルムによる真空パック）は、植物の葉っぱにより包まれたシラエビのむき身をフィルムにより真空パックするので、空気中の酸素、周囲の雑菌、ゴミ等が被収容物（シラエビのむき身）と接触することで被収容物（シラエビのむき身）が劣化（例えば、酸化、腐敗、汚染等）することを防止又は減少させることができるものの、大気圧下では真空パックされたフィルムに大気圧が加わり、この力によって被収容物（シラエビのむき身）が真空パック内で変形したり押しつぶされたりするという問題があった。
このような被収容物の変形等は被収容物の商品価値を低下させたり、被収容物を使用することができなくなることもあった。
【０００５】
そこで、本考案では、特許文献１に記載の減圧包装容器のように、大気圧が加わることで被収容物が減圧包装容器（真空パック）内で変形等する問題が生じない減圧包装容器（真空パック）を提供することを目的とする。
【課題を解決するための手段】
【０００６】
本考案の減圧包装容器（以下、「本容器」という。）は、被収容物を減圧状態で収容する減圧包装容器であって、被収容物を収容可能な収容空間と、収容空間を規定する内面と外面とを連通させる連通口と、を有してなる保護骨材と、収容空間に被収容物を収容した保護骨材を内部空間に減圧状態にて収容可能である密封可能な袋体と、を備えてなり、袋体の内部空間が減圧状態とされても収容空間が潰れないものである、減圧包装容器である。
本容器は、大まかには、保護骨材と袋体とを備えてなる。
袋体は、従来から減圧包装（真空パック）する際に用いられてきた密封（通常、液密かつ気密）可能なもの（通常は、液密性かつ気密性を有する合成樹脂又はゴム製のシート又はフィルム等により形成される。）を用いることができ、被収容物を収容した保護骨材を袋体の内部空間に減圧（本容器の周囲の圧力よりも低いことをいい、例えば、本容器が大気圧下に置かれる場合であれば、大気圧よりも低い圧力をいう。）状態にて収容する。
保護骨材は、保護骨材が有する収容空間に被収容物を収容する。そして、保護骨材は、収容空間を規定する保護骨材の内面（収容空間に面する面）と、保護骨材の外面と、を連通させる連通口を有している。
このため収容空間に被収容物を収容した保護骨材を袋体の内部空間に減圧状態で収容すると、被収容物を収容する収容空間に存する雰囲気（例えば、空気）が連通口を経て抜け、被収容物が収容される収容空間が減圧されることで従来と同様に被収容物は減圧包装（真空パック）される。このように収容空間に被収容物を収容した保護骨材を袋体の内部空間に減圧状態にて収容した際、本容器においては、袋体の内部空間が減圧状態とされても被収容物を収容した収容空間が潰れないため（袋体の内部空間が減圧状態とされたときに生じる収容空間の変形が、被収容物を変形させたり押しつぶすことがない程度にされる。）、大気圧が本容器に加わってもその大気圧による力が被収容物に直接加わらず被収容物が本容器内で変形したり押しつぶされる問題が生じない（通常、被収容物は、本容器の収容空間内にある程度の遊びを持って収容される（被収容物は収容空間内である程度の範囲で可動可能に収容される）。）。
【０００７】
保護骨材が、収容空間を通過するいずれか１の平面による切断面において収容空間を閉じた線にて取り囲む閉曲線部分を有するもの（以下、「閉曲線部分保有容器」という。）であってもよい。
このように保護骨材が閉曲線部分を有するようにすれば、閉曲線部分が該切断面（収容空間を通過するいずれか１の平面による切断面）において収容空間を閉じた線（両端が一致した連続した曲線（直線も含む）をいう。）にて取り囲むので、該切断面の位置において被収容物を収容する収容空間が保護骨材（閉曲線部分）により取り囲まれ、該位置近傍において大気圧による力が被収容物に直接加わることを確実に防止又は減少させることができ、被収容物が本容器内で押しつぶされる問題を効果的に防止又は減少させる。
【０００８】
閉曲線部分保有容器の場合、保護骨材が、少なくとも２以上の異なる閉曲線部分を有するものであってもよい。
こうすることで被収容物を収容する収容空間が保護骨材（閉曲線部分）により取り囲まれる位置が少なくとも異なる２以上存するので、より広範かつ確実に大気圧による力が被収容物に直接加わることを防止又は減少させることができ、被収容物が本容器内で押しつぶされる問題を広範かつ効果的に防止又は減少させる。
【０００９】
閉曲線部分保有容器の場合、閉曲線部分において、袋体の内面が保護骨材の外面に密接するように取り囲んでいるもの（以下、「閉曲線部分袋体密接容器」という。）であってもよい。
収容空間に被収容物を収容した保護骨材を袋体の内部空間に減圧状態で収容すると、袋体の外面に加わる大気圧によって袋体内部空間の減圧度合いに応じて袋体が内方（収容空間方向）に押し付けられる。この袋体に加わる力は、袋体の内面が保護骨材の外面に密接すること等で支持されるので、前記切断面において収容空間を閉じた線にて取り囲む閉曲線部分において、袋体の内面が保護骨材の外面に密接するように取り囲んでいれば、保護骨材の外面を内方に押す力を閉曲線部分がうまくバランス良く支持することができる（即ち、保護骨材の外面を内方に押す力は収容空間を取り囲むよう周囲から内方に向けて加わるので、これは、収容空間を閉じた線にて取り囲む閉曲線部分がうまく支持することができる。）。
【００１０】
閉曲線部分袋体密接容器の場合、閉曲線部分において、袋体の内面が密接する保護骨材の外面が外に凸の曲線によって形成されているものであってもよい。
袋体の内面が保護骨材の外面を内方に押す力は、袋体の内面が密接する保護骨材の外面が外に凸の曲線によって形成されれば、該凸の曲線に対する接線方向に閉曲線部分を圧縮する力として作用するので（通常の材質は、曲げ力や引っ張り力に比べ、圧縮力に対し強い。）、本容器（保護骨材）を堅牢に構成することができる（同じ強度に構成するためには、より小さな肉厚でよく、軽量や安価に構成することができる。）。
なお、「外に凸の曲線」とは、閉じた曲線により取り囲まれる内部の領域に存する任意の２点を結ぶ線分上の点が、全て該領域に属する曲線をいい、一例を挙げれば、円や楕円等を例示することができる。
【００１１】
閉曲線部分保有容器の場合、保護骨材が、前記切断面に交わる直線である基準直線に沿った中空の管状形状を有するもの（以下、「中空管状容器」という。）であってもよい。
このように閉曲線部分が収容空間を閉じた線にて取り囲む該切断面（収容空間を通過するいずれか１の平面）に交わる直線である基準直線に沿った中空の管状形状を保護骨材が有するようにすれば、基準直線に沿った中空の管状形状を有する保護骨材を袋体の内部空間に挿入（通常、基準直線に沿った方向に挿入すれば容易に挿入できる。）し、袋体の内部空間を減圧状態にして収容すれば、中空の管状形状を有する保護骨材の中空の内部を収容空間としてうまく機能させることができる。
【００１２】
中空管状容器の場合、保護骨材が、基準直線に沿った中空の略円筒形状を有する円筒骨材と、基準直線に沿った円筒骨材の両端のうち一端側に取り付けられる略球冠形状の外面を有する一端球冠骨材と、該両端のうち他端側に取り付けられる略球冠形状の外面を有する他端球冠骨材と、円筒骨材と一端球冠骨材と他端球冠骨材との少なくともいずれかに形成される前記連通口と、を有してなるものであってもよい。
このように基準直線に沿った中空の略円筒形状を有する円筒骨材と、円筒骨材の両端のうち一端側に取り付けられる略球冠形状の外面を有する一端球冠骨材と、該両端のうち他端側に取り付けられる略球冠形状の外面を有する他端球冠骨材と、を保護骨材が有するよう構成することで（保護骨材が全体として所謂カプセル形状を形成する。）、基準直線に沿った中空の略円筒形状を有する円筒骨材の中空の内部を収容空間としてうまく機能させることで収容空間を大きくすることができる（例えば、円筒骨材と同じ半径の球状のものと比較すれば明白である。）と共に、袋体の内面が密接する保護骨材の外面が外に凸の曲線によって形成されるので本容器（保護骨材）を堅牢に構成することができる（同じ強度に構成するためには、より小さな肉厚でよく、軽量や安価に構成することができる。）。また、円筒骨材と一端球冠骨材と他端球冠骨材との少なくともいずれかに前記連通口が形成されることで、収容空間を規定する内面と外面とを連通させることができる。
【００１３】
本容器においては、収容空間が袋体の内面と接しないものであってもよい。
被収容物を収容する収容空間が袋体の内面と面さないことで、被収容物と袋体内面とが接さないため、被収容物と袋体内面とが接することによって生じうる不具合を防止又は減少させることができる。該不具合としては、被収容物と袋体内面との一方又は両方に生じうる不具合が考えられ、例えば、被収容物が袋体の内面に接触することで不意に該内面を穿刺又は切開するような場合（具体例としては、被収容物たるエビや魚の触角、棘、硬いヒレが、袋体の内面に接触することで不意に該内面を穿刺又は切開するおそれがあるような場合等）を挙げることができる。
【００１４】
本容器においては、収容空間に収容された被収容物が、保護骨材の外部から目視可能なもの（以下、「被収容物目視可能容器」という。）であってもよい。
こうすることで保護骨材の外部からの目視により、収容空間に収容された被収容物の状態を的確に把握することができる。
【００１５】
被収容物目視可能容器の場合、収容空間に収容された被収容物が、保護骨材の外部から目視可能にされるには種々の方法が用いられてよく、例えば、保護骨材の一部又は全部を透明な材料によって構成したり、収容空間を規定する内面と外面とを連通させる連通口を経由して保護骨材の外部から被収容物を目視可能にしてもよい。とりわけ収容空間に収容された被収容物が、前記連通口を経由して保護骨材の外部から目視可能にされれば、収容空間に収容された被収容物を保護骨材の外部から目視可能にするための格別の方法を講じる必要がないので、本容器（保護骨材）の構成を簡単にすることができ本容器（保護骨材）を安価かつ容易に製造することができる。
【００１６】
前述のように、本容器は保護骨材と袋体とを備えてなるが、これらのうち袋体は、従来から減圧包装（真空パック）する際に用いられてきた密封可能な汎用品を用いることができるので、保護骨材と袋体とを必ずしもセットで製造及び／又は販売する必要はなく、保護骨材のみを製造及び／又は販売するようにしてもよい（保護骨材を入手した者は、汎用の袋体を用いて本容器を構成することができる。）。
【考案を実施するための最良の形態】
【００１７】
本考案の実施の形態を図面を参照して詳述するが、本考案はこれに限定されるものではない。
【００１８】
図１は、一例の本考案の減圧包装容器（本容器）を構成するための保護骨材５１を示す正面図であり、図２は図１のＡーＡ断面図であり、図３は図１のＢーＢ断面図であり、そして図４は図１のＣーＣ断面図である。図１乃至図４を参照して、一例の保護骨材５１について説明する。
保護骨材５１は、大まかには、仮想上の基準直線Ｄ（上述のＡーＡ断面に含まれる。）に沿った中空の略円筒形状を有する円筒骨材６１と、円筒骨材６１の両端６１ａ、６１ｂのうち一端６１ａ側に取り付けられる略球冠形状の外面７３を有する一端球冠骨材７１と、該両端６１ａ、６１ｂのうち他端６１ｂ側に取り付けられる略球冠形状の外面８３を有する他端球冠骨材８１と、を有している。円筒骨材６１と一端球冠骨材７１とは互いに接着されることで取り付けられており、円筒骨材６１と他端球冠骨材８１とは所定範囲内で互いに回動可能になるよう蝶番部材９１（両側を所定範囲内で互いに回動可能に連結する部材）によって回動自在に取り付けられている（なお、図示及び理解を容易にするため、円筒骨材６１と一端球冠骨材７１との間は実際よりも広く図示しており、同様に、円筒骨材６１と他端球冠骨材８１との間も実際よりも広く図示している。）。
なお、保護骨材５１は、有色不透明の樹脂材料で形成された蝶番部材９１を除く他の全ての部分が無色透明の樹脂材料（例えば、硬質のポリエチレン）で形成されている。
【００１９】
円筒骨材６１は、複数（ここでは具体的には１２）のリング部材６３と、複数のリング部材６３を互いに連結する棒状の連結部材６５ａ、６５ｂ、６５ｃ、６５ｄと、を有してなる。
複数のリング部材６３は、いずれも同じ形状及び同じ寸法に形成されており、連結部材６５ａ、６５ｂ、６５ｃ、６５ｄによって（接着されて）互いに等間隔に配設されている。全てのリング部材６３は、基準直線Ｄを軸とする半径ｒ１の直円柱の側面に内面６３ａが略接すると共に、基準直線Ｄを軸とする半径ｒ２（但しｒ１＜ｒ２）の直円柱の側面に外面６３ｂが略接するように配設されており、基準直線Ｄに沿った厚みｔは略同じとされている。また、基準直線Ｄに対して垂直な平面に属するようにリング部材６３のいずれも配設されており、リング部材６３のいずれも基準直線Ｄを軸とする回転体を略形成している。
連結部材６５ａ、６５ｂ、６５ｃ、６５ｄはいずれも基準直線Ｄに対して略平行にのびるように配設されており（即ち、連結部材６５ａは基準直線Ｄに対して略平行な一直線に沿ってのびるように配設されており、連結部材６５ｂは基準直線Ｄに対して略平行な一直線に沿ってのびるように配設されており、連結部材６５ｃは基準直線Ｄに対して略平行な一直線に沿ってのびるように配設されており、連結部材６５ｄは基準直線Ｄに対して略平行な一直線に沿ってのびるように配設されている。）、前述のように複数のリング部材６３を略等間隔になるように連結している。
以上のように円筒骨材６１は、基準直線Ｄを軸とする半径ｒ１の直円柱形状をした中空の内部６７（収容空間１３の一部）を有すると共に、円筒骨材６１の外部６９と内部６７とを連通させる連通口６８（互いに等間隔に配設された複数のリング部材６３同士の間に形成される隙間）を有する。
【００２０】
一端球冠骨材７１と他端球冠骨材８１とはいずれも同じ形状及び同じ寸法に形成されており、半径ｒ１の球状の中空内部を有する外径ｒ２（但しｒ１及びｒ２は前述のものに同じ。）の球をその中心を含む平面により切断した際に生じる２の部分の一方を一端球冠骨材７１とし、該２の部分の他方を他端球冠骨材８１としたものである。このため一端球冠骨材７１は、半径ｒ１の半球状の中空内部７５と、半径ｒ２の半球外面状の外面７３と、を有している。同様に、他端球冠骨材８１は、半径ｒ１の半球状の中空内部８５と、半径ｒ２の半球外面状の外面８３と、を有している。
一端球冠骨材７１は、外径ｒ２の該球の中心位置を基準直線Ｄが略通過するように円筒骨材６１の一端６１ａに位置するリング部材６３に切断面が接着されて取り付けられている（接着剤は不図示）。
他端球冠骨材８１は、外径ｒ２の該球の中心位置を基準直線Ｄが略通過するように円筒骨材６１の他端６１ｂに位置するリング部材６３に蝶番部材９１を介して回動可能（円筒骨材６１に対する他端球冠骨材８１の回動方向を図１中に矢印Ｅにて示す。）に取り付けられている（該回動位置によって、円筒骨材６１の他端６１ｂに位置するリング部材６３に該球の切断面が当接可能である。図１及び図２は、リング部材６３に該球の切断面が略当接した状態を示している。）。
【００２１】
次いで、保護骨材５１を用いた一例の本考案の減圧包装容器（本容器）の使用方法について説明する。
図５は、保護骨材５１を用いた本容器の使用方法の第１ステップを示す図である。図５を参照して、本容器の使用方法の第１ステップについて説明する。まず、図１に示す状態から円筒骨材６１に対して他端球冠骨材８１を蝶番部材９１を中心に回動させ（図１においては時計回りに回動させる。）、図５に示すようにする。図５の状態では、他端６１ｂのリング部材６３が露出しているので、他端６１ｂ側のリング部材６３（上述の通り、半径ｒ１の円形の開口を有する。特に、図２乃至図４を参照されたい。）から円筒骨材６１の中空の内部６７に被収容物を挿入することができる。ここでは冷凍エビ１０１を被収容物として他端６１ｂ側のリング部材６３から円筒骨材６１の中空内部６７に挿入する（図５中、挿入方向を矢印Ｆにて示す。）。冷凍エビ１０１を円筒骨材６１の中空内部６７に挿入した後、図５に示す状態から円筒骨材６１に対して他端球冠骨材８１を蝶番部材９１を中心に回動させ（図５においては反時計回り（図５中、矢印Ｇ）に回動させる。）、他端球冠骨材８１によって円筒骨材６１の他端６１ｂ側を覆う（図１及び図２に示すような他端球冠骨材８１の回動位置とすることで、他端６１ｂ側のリング部材６３が有する半径ｒ１の円形の開口が他端球冠骨材８１によって閉じられる。）。
このようにして円筒骨材６１の中空内部６７と一端球冠骨材７１の中空内部７５と他端球冠骨材８１の中空内部８５とが連通し一体となって形成する収容空間１３に冷凍エビ１０１が収容される第１ステップが完了する。
【００２２】
図６は、保護骨材５１を用いた本容器の使用方法の第２ステップを示す図である。図６を参照して、本容器の使用方法の第２ステップについて説明する。
第１ステップにより冷凍エビ１０１が収容空間１３に収容された保護骨材５１は、図６に示すが如く、袋体たる合成樹脂（ここでは無色透明なポリエチレン）製の袋２１の内部空間２３に挿入される。ここに袋２１は、主表面が同じ長方形形状をした無色透明な厚手のポリエチレンシートである第１シート２５及び第２シート２７により構成されており、第１シート２５及び第２シート２７は上下に互いに重なるよう重合された状態で３辺に沿って所定の幅にて熱融着された融着部分２１ｍにより結合されている。このため上下に重合され３辺に沿って熱融着された第１シート２５及び第２シート２７は、熱融着されていない残りの１辺により内部空間２３に連絡する連絡開口２４が形成されている。冷凍エビ１０１を収容した保護骨材５１はこの連絡開口２４から内部空間２３に挿入され、図６に示すような状態となり第２ステップが完了する。
【００２３】
次いで、保護骨材５１を用いた本容器の使用方法の第３ステップでは、上記した第２ステップにて冷凍エビ１０１を収容した保護骨材５１が挿入された内部空間２３の空気を抜き取る。具体的には、第２ステップにて冷凍エビ１０１を収容した保護骨材５１が内部空間２３に保持された袋２１を、減圧室（図示せず）内に配置し減圧する。これによって収容空間１３（円筒骨材６１の中空内部６７と一端球冠骨材７１の中空内部７５と他端球冠骨材８１の中空内部８５とが連通し一体となって形成する収容空間１３）を含む内部空間２３に存する空気が連絡開口２４から流出し脱気（減圧）される。
そして、保護骨材５１を用いた本容器の使用方法の第４ステップでは、上記した第３ステップにて収容空間１３を含む内部空間２３に存する空気が所望程度除去された袋２１を密封する。具体的には、袋２１を構成する第１シート２５及び第２シート２７を、熱融着されていない１辺に沿って（減圧下にて）熱融着し（図６中、辺２５ｋと辺２７ｋとに沿って所定の幅で熱融着する）連絡開口２４を封鎖する。
最後に、第４ステップにて密封された袋２１を減圧室（図示せず）から大気圧下に取り出して、冷凍エビ１０１を被収容物として減圧状態で収容する減圧包装容器（本容器）が完成される。このとき袋２１の外面は大気圧により内側に向かって押されることにより、袋２１の内面が保護骨材５１の外面を内方に向かって押すが、ここでは保護骨材５１は十分な強度を有するものであり、冷凍エビ１０１が収容される収容空間１３はほとんど変形せず、潰れないものである。
【００２４】
図７は、このようにして完成された本容器１１（冷凍エビ１０１を被収容物として減圧状態で収容する減圧包装容器）の断面図（保護骨材５１の断面位置は上述のＡ−Ａ断面である。）である。図７を参照して、本容器１１における冷凍エビ１０１の収容状態等について説明する。なお、ここでは本容器１１は、保護骨材５１と袋２１とを有して構成されている。
円筒骨材６１が有する中空の内部６７（基準直線Ｄを軸とする半径ｒ１の直円柱形状をした中空内部）と、一端球冠骨材７１が有する中空内部７５（半径ｒ１の半球状の中空内部）と、他端球冠骨材８１が有する中空内部８５（半径ｒ１の半球状の中空内部）と、が連通し一体となって、冷凍エビ１０１（被収容物）が収容される収容空間１３を形成している。
収容空間１３は減圧状態（大気圧よりも圧力が小さい）であり、袋２１の外面は大気圧により内側（保護骨材５１の方向）に向かって押されることにより、袋２１の内面が保護骨材５１の外面を内方（収容空間１３方向）に向かって押すが、保護骨材５１は十分な強度を有することで、冷凍エビ１０１が収容される収容空間１３はほとんど変形せず潰れていない。
【００２５】
以上説明したように、本容器１１は、被収容物（ここでは冷凍エビ１０１）を減圧状態で収容する減圧包装容器であって、被収容物（冷凍エビ１０１）を収容可能な収容空間１３と、収容空間１３を規定する内面（ここではリング部材６３の内面６３ａ）と外面（ここではリング部材６３の外面６３ｂ）とを連通させる連通口６８と、を有してなる保護骨材５１と、収容空間１３に被収容物（冷凍エビ１０１）を収容した保護骨材５１を内部空間２３に減圧状態にて収容可能である密封可能な袋体（ここでは袋２１）と、を備えてなり、袋体（袋２１）の内部空間２３が減圧状態とされても収容空間１３が潰れないものである、減圧包装容器である。
本容器１１においては、保護骨材５１が、収容空間１３を通過するいずれか１の平面（ここではリング部材６３各々に対し、リング部材６３各々を切断する基準直線Ｄに対して垂直な平面）による切断面において収容空間１３を閉じた線（ここでは略円形）にて取り囲む閉曲線部分（個々のリング部材６３）を有するものである。また、保護骨材５１が、収容空間１３を通過するいずれか１の平面（一端球冠骨材７１及び他端球冠骨材８１を切断する基準直線Ｄに対して垂直な平面）による切断面において収容空間１３を閉じた線（ここでは略円形）にて取り囲む閉曲線部分（一端球冠骨材７１及び他端球冠骨材８１）を有するものである。
また、保護骨材５１が、少なくとも２以上の異なる閉曲線部分（ここでは個々のリング部材６３、一端球冠骨材７１及び他端球冠骨材８１）を有するものである。
加えて、閉曲線部分（個々のリング部材６３、一端球冠骨材７１及び他端球冠骨材８１）において、袋体（袋２１）の内面が保護骨材５１の外面に密接するように取り囲んでいるものである（特に、図７を参照されたい）。
さらに、閉曲線部分（個々のリング部材６３、一端球冠骨材７１及び他端球冠骨材８１）において、袋体（袋２１）の内面が密接する保護骨材の外面が外に凸の曲線（ここではいずれも円形）によって形成されているものである。
【００２６】
本容器１１においては、保護骨材５１が、前記切断面に交わる直線である基準直線Ｄに沿った中空の管状形状（主として、円筒骨材６１が形成する部分）を有するものである。
そして、保護骨材５１が、基準直線Ｄに沿った中空の略円筒形状を有する円筒骨材６１と、基準直線Ｄに沿った円筒骨材６１の両端６１ａ、６１ｂのうち一端６１ａ側に取り付けられる略球冠形状（ここでは半球の外面）の外面７３を有する一端球冠骨材７１と、該両端６１ａ、６１ｂのうち他端６１ｂ側に取り付けられる略球冠形状（ここでは半球の外面）の外面８３を有する他端球冠骨材８１と、円筒骨材６１と一端球冠骨材７１と他端球冠骨材８１との少なくともいずれか（ここでは円筒骨材６１）に形成される前記連通口６８と、を有してなる。
【００２７】
本容器１１においては、収容空間１３が袋体（袋２１）の内面と接しないものである。即ち、円筒骨材６１が有する中空の内部６７（基準直線Ｄを軸とする半径ｒ１の直円柱形状をした中空内部）と、一端球冠骨材７１が有する中空内部７５（半径ｒ１の半球状の中空内部）と、他端球冠骨材８１が有する中空内部８５（半径ｒ１の半球状の中空内部）と、が連通し一体となって収容空間１３を形成しているので、収容空間１３が袋体（袋２１）の内面と接していない。
そして、収容空間１３に収容された被収容物（冷凍エビ１０１）が、保護骨材５１の外部から目視可能なものである。ここでは収容空間１３に収容された被収容物（冷凍エビ１０１）が、前記連通口６８を経由して保護骨材５１の外部から目視可能なものである（特に図６を参照されたい）。
【００２８】
本容器１１を用いることで、内部空間を有する密閉された堅牢な容器に空気抜き用バルブと被収容物を出し入れする気密の開閉扉とを設けた減圧包装容器を用いる場合に比し、保護骨材と袋体という簡単な構成にて減圧包装することができ、廉価かつ容易に減圧包装を使用することができる。
即ち、密閉容器に空気抜き用バルブと気密の開閉扉とを設けることは、複雑な製造工程を要すると共に高価な部品を要求するものであるため製造コストを高価なものとし、さらにバルブ等は可動部分を含み不具合が生じやすいことから保守点検も要求されるので、製造及び使用の両面において費用増加をもたらすものであった。
一方、保護骨材と袋体という簡単な構成の本容器１１は、製造及び使用の両面において安価であり、場合によっては本容器１１を使い捨てにすることも可能となる。
このように本容器１１は減圧包装を容易かつ安価に可能ならしめるものであり、食品分野をはじめ、様々な分野で多用され得るものである。
【図面の簡単な説明】
【００２９】
【図１】一例の本容器を構成するための保護骨材を示す正面図である。
【図２】図１のＡーＡ断面図である。
【図３】図１のＢーＢ断面図である。
【図４】図１のＣーＣ断面図である。
【図５】本容器の使用方法の第１ステップを示す図である。
【図６】本容器の使用方法の第２ステップを示す図である。
【図７】本容器における収容状態等を説明する断面図である。
【符号の説明】
【００３０】
１１            本容器
１３            収容空間
２１            袋
２１ｍ          融着部分
２３            内部空間
２４            連絡開口
２５            第１シート
２５ｋ          辺
２７            第２シート
２７ｋ          辺
５１            保護骨材
６１            円筒骨材
６１ａ、６１ｂ  端
６３            リング部材
６３ａ          内面
６３ｂ          外面
６５ａ、６５ｂ、６５ｃ、６５ｄ  連結部材
６７            内部
６８            連通口
６９            外部
７１            一端球冠骨材
７３            外面
７５            中空内部
８１            他端球冠骨材
８３            外面
８５            中空内部
９１            蝶番部材
１０１            冷凍エビ
Ｄ            基準直線
【図１】
0003132049.tif 000003
【図２】
0003132049.tif 000004
【図３】
0003132049.tif 000005
【図４】
0003132049.tif 000006
【図５】
0003132049.tif 000007
【図６】
0003132049.tif 000008
【図７】
0003132049.tif 000009